(57)【要約】      （修正有）【課題】お湯が冷めても内圧を大気圧に戻すことができ、弁装置のみの交換・補修が可能な湯たんぽを提供する。【解決手段】湯たんぽ本体２の注水口３を開閉するキャップ本体５と、このキャップ本体５に設けられ湯たんぽ本体２の外側から内側の一方向に開成する弁装置６とを備える。前記弁装置６は、キャップ本体５に設けられた貫通孔14，14と、この貫通孔14，14を開閉するパッキン16と、このパッキン16を貫通孔14，14の閉成方向に付勢するコイルスプリング17とを備え、キャップ本体５にパッキン16を着脱可能に設けたから、お湯が冷めて湯たんぽ本体２内が減圧すると、コイルスプリング17に抗してパッキン16が内側に移動し、貫通孔14，14が開成することにより、内外の圧力差がなくなり、湯たんぽ本体２が減圧により変形することがなく、お湯が冷めてもキャップ４を簡単に取り外すことができる。【選択図】図１
2008093044.tif 000002
【特許請求の範囲】
【請求項１】
湯たんぽ本体の注水口を開閉するキャップ本体と、このキャップ本体に設けられ前記湯たんぽ本体の外側から内側の一方向に開成する弁装置とを備えた湯たんぽ用キャップにおいて、前記弁装置は、前記キャップ本体に設けられた貫通孔と、この貫通孔を開閉する弁体と、この弁体を前記貫通孔の閉成方向に付勢する付勢手段とを備え、前記キャップ本体に前記弁体を着脱可能に設けたことを特徴とする湯たんぽ用キャップ。
【請求項２】
前記キャップに螺子手段を着脱可能に螺合し、前記螺子手段により前記付勢手段と前記弁体とを前記キャップに設けたことを特徴とする請求項１記載の湯たんぽ用キャップ。
【請求項３】
注水口を有する湯たんぽ本体と、前記注水口を開閉するキャップ本体と、このキャップ本体に設けられ前記湯たんぽ本体の外側から内側の一方向に開成する弁装置とを備えた湯たんぽにおいて、前記弁装置は、前記キャップ本体に設けられた貫通孔と、この貫通孔を開閉する弁体と、この弁体を前記貫通孔の閉成方向に付勢する付勢手段とを備え、前記キャップ本体に前記弁体を着脱可能に設けたことを特徴とする湯たんぽ。
【発明の詳細な説明】
【技術分野】
【０００１】
本発明は、湯たんぽ用キャップとこのキャップを備えた湯たんぽに関する。
【背景技術】
【０００２】
従来、この種の湯たんぽは、湯出し入れ口を有する湯たんぽ本体と、前記湯出し入れ口を開閉するキャップとを備えてなり、湯沸かし器で沸かした湯や、ガスこんろ等で沸かした湯が使用され、金属製の湯たんぽ本体では、水を入れて電磁調理器で加熱される場合（例えば特許文献１）もある。
【０００３】
このような湯たんぽでは、湯たんぽ本体内のお湯が冷めると、湯たんぽ本体内の空気が収縮し、湯たんぽ本体内が減圧されることによりキャップが開かなくなる。また、減圧時に、湯たんぽ本体が変形しないようにするため、湯たんぽ本体の内部に補強板を設ける必要がある。
【０００４】
これらを防止には、湯たんぽ本体内を満水にして、内部の空気を極力少なくする必要がある。しかし、満水にするにはかなりの湯量が必要となり、家庭において使用するケトルが小さいと、２回に別けてお湯を沸かす必要が生じ、手間がかかる。一方、ケトルを用いずに、湯たんぽ本体を火にかけ加熱する使用者もおり、この場合、満水で沸騰すると、湯出し入れ口からお湯が零れる虞がある。このため、湯たんぽ本体を直接火にかける使用は禁止するように注意書きが添えられている。
【０００５】
このような問題を解決するため、弁装置を備えたキャップが用いられ、この弁装置は、湯たんぽ本体の減圧時に開成して内部に外気を取り込むものである。この湯たんぽを図４に示すと、湯たんぽ本体51は、注水口52を備え、キャップ53は、前記注水口52に着脱可能に螺合するキャップ本体54と、このキャップ本体54の外側を覆うカバー55を備え、弁装置56として、前記キャップ本体54に貫通孔57を穿設し、この貫通孔57にリベット58を遊挿し、このリベット58は両端に鍔部58Ａ，58Ａを有し、そのリベット58には、その内側にパッキン59を外装する共に、その外側にコイルスプリング60を外装し、このコイルスプリング60は前記パッキン59が貫通孔57を閉成する方向に前記リベット58を付勢してなる。
【特許文献１】特開２００４−１６５１１号公報
【発明の開示】
【発明が解決しようとする課題】
【０００６】
上記のようなキャップ53を備えた湯たんぽでは、お湯が冷めて湯たんぽ本体51内が減圧すると、コイルスプリング60の付勢に抗してリベット58と共にパッキン59が移動し、貫通孔57が開成して外気が内部に導入され、内外の圧力差がなくなることにより、再び貫通孔57がパッキン59により閉成される。
【０００７】
しかし、上記のキャップ53では、使用によりパッキン59やコイルスプリング60が劣化しても、リベット58を取り外して交換・修理をすることができず、キャップ53ごと交換しなければならないという問題があった。
【０００８】
そこで、本発明は、お湯が冷めても内部を大気圧近くに戻すことができ、弁装置のみの交換・補修が可能な湯たんぽ用キャップとその湯たんぽを提供することを目的とする。
【課題を解決するための手段】
【０００９】
請求項１の発明は、湯たんぽ本体の注水口を開閉するキャップ本体と、このキャップ本体に設けられ前記湯たんぽ本体の外側から内側の一方向に開成する弁装置とを備えた湯たんぽ用キャップにおいて、前記弁装置は、前記キャップ本体に設けられた貫通孔と、この貫通孔を開閉する弁体と、この弁体を前記貫通孔の閉成方向に付勢する付勢手段とを備え、前記キャップ本体に前記弁体を着脱可能に設けたものである。
【００１０】
また、請求項２の発明は、前記キャップに螺子手段を着脱可能に螺合し、前記螺子手段により前記付勢手段と前記弁体とを前記キャップに設けたものである。
【００１１】
また、請求項３の発明は、注水口を有する湯たんぽ本体と、前記注水口を開閉するキャップ本体と、このキャップ本体に設けられ前記湯たんぽ本体の外側から内側の一方向に開成する弁装置とを備えた湯たんぽにおいて、前記弁装置は、前記キャップ本体に設けられた貫通孔と、この貫通孔を開閉する弁体と、この弁体を前記貫通孔の閉成方向に付勢する付勢手段とを備え、前記キャップ本体に前記弁体を着脱可能に設けたものである。
【発明の効果】
【００１２】
請求項１の構成によれば、お湯が冷めて湯たんぽ本体内が減圧すると、付勢手段に抗して弁体が内側に移動し、貫通孔が開成し、内外の圧力差がなくなるから、湯たんぽ本体が減圧により変形することがなく、お湯が冷めてもキャップを簡単に取り外すことができる。したがって、湯たんぽ本体内に補強板を設ける必要がなく、また、使用において、満水にする必要がないので、手持ちのケトルで沸かせる量で使用が可能となる。
【００１３】
しかも、キャップ本体から弁体を外して、該弁体の交換・修理を行うことができる。
【００１４】
また、請求項２の構成によれば、螺子手段を回すことによりキャップから取り外し、付勢手段と弁体とを交換・修理することができる。
【００１５】
また、請求項３の構成によれば、お湯が冷めても内圧を大気圧に戻すことができ、弁体の交換・補修が可能な湯たんぽを提供できる。
【発明を実施するための最良の形態】
【００１６】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な湯たんぽ用キャップとその湯タンポを採用することにより、従来にない湯たんぽ用キャップとその湯たんぽが得られ、その湯たんぽ用キャップとその湯たんぽについて記述する。
【実施例１】
【００１７】
以下、本発明の実施例を添付図面を参照して説明する。図１〜図３は本発明の実施例１を示し、同図に示すように、湯たんぽ１は、中空な湯たんぽ本体２に注水口３を設け、この注水口３がキャップ４により開閉される。前記湯たんぽ本体２は、金属製，樹脂製，陶器製などのものが用いられ、その金属としては熱伝導率の高い銅などが用いられる。
【００１８】
前記注水口３は、湯たんぽ本体の外面に突出した筒体により構成され、該湯たんぽ本体２の内外を連通し、その注水口３の外周には雌螺子部３Ａが形成されている。
【００１９】
前記キャップ４は、銅などの金属からなるキャップ本体５と、このキャップ本体５に設けた弁装置６と、前記キャップ本体５に回動可能に設けた把手７とを備える。前記キャップ本体５は、筒部11と蓋部12とを一体に備え、その筒部11の内周に前記雌螺子部３Ａに螺合する雄螺子部５Ａが形成されている。また、前記蓋部12の内面12Ａ中央には、円柱部13が突出形成されている。そして、前記弁装置６は、湯たんぽ本体５の外側から内側の一方向に開成し、内側から外側の方向には閉成するものである。
【００２０】
前記弁装置６は、前記円柱部13の中央両側に内外を連通する貫通孔14，14を形成し、これら貫通孔14，14が開口する前記円柱部13の内端面により弁座15が構成され、さらに、この弁座15に当接して前記貫通孔14，14を閉成する弁体たるパッキン16と、このパッキン16を貫通孔14，14の閉成方向に付勢する付勢手段たるコイルスプリング17と、前記パッキン16とコイルスプリング17との間に介在する座金18と、それらパッキン16，コイルスプリング17及び座金18をキャップ本体５に着脱可能に取り付ける螺子手段19とを備える。尚、前記パッキン16及び座金18は略同形で中央に貫通孔を有するリング状をなす。また、パッキン16と座金18とは別体であるが、両者を接着などにより一体化して使用してもよい。
【００２１】
前記螺子手段19は、先端に雄螺子部19Ａを形成した円柱状の杆体19Ｂと、この杆体19Ｂの基端に設けられ該杆体19Ｂより大きな頭部19Ｃと、この頭部19Ｃに形成された工具係合部たる工具溝19Ｄとを備え、この例では工具溝19Ｄとして十字ドライバーが係合する十字溝が設けられている。また、前記弁座15の中央には、前記杆体19Ｂの先端が着脱可能に螺合する雌螺子孔15Ａが形成されている。
【００２２】
尚、前記蓋部12と筒部11との内角部にはシール材であるリング状のパッキン20が内装され、このパッキン20にはＯリングが用いられ、キャップ４の取付状態で、前記注水口３の先端縁と蓋部12との間に挟まれて止水性を確保するものである。
【００２３】
そして、前記杆体19Ｂに、コイルスプリング17，座金18，パッキン16の順で外装し、これらを外装した杆体19Ｂを前記雌螺子孔15Ａに螺合する。この状態で、コイルスプリング17は、長さ方向に圧縮されており、伸張しようとする弾性復元力により座金18を弁座15方向に付勢し、パッキン16が弁座15に圧接して貫通孔14，14が閉成される。
【００２４】
上記のようなキャップ４を備えた湯たんぽ１においては、湯たんぽ本体２内に注水口３からお湯を注入し、注水口３をキャップ４により塞いで使用する。そして、お湯を満水にせずに内部に空気がある状態で、お湯が冷めて湯たんぽ本体２内が減圧しても、コイルスプリング17が圧縮されてパッキン16が弁座15から離れ、貫通孔14，14が開成し、内外の圧力差がなくなり、これにより、湯たんぽ本体２が内圧により変形したり、キャップ４が外れなくなったりすることがない。一方、キャップ４には、貫通孔14，14が形成されているが、湯たんぽ本体２を逆さにしても、コイルスプリング17に付勢されてパッキン16が貫通孔14，14を閉成しており、さらにパッキン16にお湯の水圧が加わるため、貫通孔14から水漏れを生じることがない。
【００２５】
このように本実施例では、請求項１に対応して、湯たんぽ本体２の注水口３を開閉するキャップ本体５と、このキャップ本体５に設けられ湯たんぽ本体２の外側から内側の一方向に開成する弁装置６とを備えた湯たんぽ用キャップにおいて、弁装置６は、キャップ本体２に設けられた貫通孔14，14と、この貫通孔14，14を開閉する弁体たるパッキン16と、このパッキン16を貫通孔14，14の閉成方向に付勢する付勢手段たるコイルスプリング17とを備え、キャップ本体５にパッキン16を着脱可能に設けたから、お湯が冷めて湯たんぽ本体２内が減圧すると、コイルスプリング17に抗してパッキン16が内側に移動し、貫通孔14，14が開成し、内外の圧力差がなくなり、湯たんぽ本体２が減圧により変形することがなく、お湯が冷めてもキャップ４を簡単に取り外すことができる。
【００２６】
したがって、湯たんぽ本体２内に補強板を設けるなどの補強を施す必要がなく、また、使用において、満水にする必要がないので、手持ちのケトルで沸かせる量で使用が可能となる。さらに、湯たんぽ本体２及び注水口３が変形しないので、螺子部３Ａ，５Ａの緩みにより水漏れ等が発生することがない。
【００２７】
しかも、キャップ本体５からパッキン16を外して、該パッキン16の交換・修理を行うことができる。
【００２８】
また、実施例上の効果として、湯たんぽ本体２を満水にして使用する必要がないため、湯たんぽ本体２が金属製や陶器製などであれば、キャップ４を外して、湯たんぽ本体２を直接に火に掛けて加熱することもできる。
【００２９】
また、このように本実施例では、請求項２に対応して、キャップ４のキャップ本体５に螺子手段19を着脱可能に螺合し、螺子手段19により付勢手段たるコイルスプリング17と弁体たるパッキン16とをキャップ４のキャップ本体５に設けたから、螺子手段19を回すことによりキャップ本体５から取り外し、コイルスプリング17とパッキン16とを交換・修理することができる。
【００３０】
また、このように本実施例では、請求項３に対応して、注水口３を有する湯たんぽ本体２と、注水口３を開閉するキャップ本体５と、このキャップ本体５に設けられ湯たんぽ本体２の外側から内側の一方向に開成する弁装置６とを備えた湯たんぽにおいて、弁装置６は、キャップ本体２に設けられた貫通孔14，14と、この貫通孔14，14を開閉する弁体たるパッキン16と、このパッキン16を貫通孔14，14の閉成方向に付勢する付勢手段たるコイルスプリング17とを備え、キャップ本体５にパッキン16を着脱可能に設けたから、お湯が冷めて内圧を大気圧に戻すことができ、パッキンの交換・補修が可能な湯たんぽを提供できる。
【００３１】
また、実施上の効果として、螺子手段19として、頭部19Ｃに工具係合部として工具溝19Ｄを備えたものを用いたから、ドライバーなどにより簡便に取り外しすることができる。
また、弁装置６の部品であるパッキン16，コイルスプリング17，座金18及び螺子手段19を、キャップ本体５の内面12Ａ側に配置したから、キャップ本体５の外面に部品が突出することがなく、キャップ本体５の蓋部12の外面を平坦に形成することができる。また、貫通孔14，14を螺子手段19の位置を中心とした対称位置に配置したから、外気を導入する際、パッキン16に均等な力を加わり、開閉動作が安定し、また、螺子手段19をキャップ本体５に直接螺合し、その螺子手段19に沿ってパッキン16及び座金15が移動するから、弁装置６の構造が簡易なものとなる。さらに、キャップ本体５にリング状のパッキン20を内装したから、キャップ４を筒状の注水口３に螺合することにより、パッキン20が注水口３の上端に当接して確実な止水性が得られ、且つ軽い力でキャップ４を取り付けることができる。
【００３２】
なお、本発明は、前記実施例に限定されるものではなく、種々の変形実施が可能である。例えば、湯たんぽの材質は適宜選定可能である、また、貫通孔14の数は適宜選定可能である。さらに、螺子手段の頭部を六角柱状に形成し、六角レンチなどが係合する工具係合部としてもよい。
【図面の簡単な説明】
【００３３】
【図１】本発明の実施例１を示す注水口にキャップを装着した状態の断面図である。
【図２】同上、弁装置を分解した状態のキャップの断面図である。
【図３】同上、湯たんぽの斜視図である。
【図４】従来例を示し注水口にキャップを装着した状態の断面図である。
【符号の説明】
【００３４】
１  湯たんぽ
２  湯たんぽ本体
３  注水口
４  キャップ
５  キャップ本体
６  弁装置
14  貫通孔
16  パッキン（弁体）
17  コイルスプリング（付勢手段）
19  螺子手段
【図１】
2008093044.tif 000003
【図２】
2008093044.tif 000004
【図３】
2008093044.tif 000005
【図４】
2008093044.tif 000006